(57)【要約】【課題】ディジタル放送を記録するディジタル放送記録装置において、入力された放送チャンネルのコンテンツデータを記録する場合に、録画対象の番組の記録品質を容易に設定する。【解決手段】ディジタル放送記録装置は、入力された放送チャンネルのコンテンツデータを記録可能な記録手段と、放送チャンネルの記録品質の設定指示の入力が可能な記録品質指示手段と、記録対象の放送チャンネルに対応する設定指示に基づく記録品質で記録手段に当該記録対象の放送チャンネルのコンテンツデータの記録を行わせる記録制御手段と、を備える。【選択図】図１
2013013034.tif 000002
【特許請求の範囲】
【請求項１】
入力された放送チャンネルのコンテンツデータを記録可能な記録手段と、
前記放送チャンネルの記録品質の設定指示の入力が可能な記録品質指示手段と、
記録対象の放送チャンネルに対応する設定指示に基づく記録品質で前記記録手段に当該記録対象の放送チャンネルのコンテンツデータの記録を行わせる記録制御手段と、
を備えたディジタル放送記録装置。
【請求項２】
前記記録手段は、入力された複数の放送チャンネルのコンテンツデータを同時並行して記録可能であり、
前記記録品質指示手段は、前記放送チャンネル毎に前記記録品質の設定の指示入力が可能である、
請求項１記載のディジタル放送記録装置。
【請求項３】
前記記録品質指示手段は、さらに時間帯毎に記録品質の設定指示の入力が可能であり、
前記記録制御手段は、前記記録対象の放送チャンネルの記録品質の設定指示及び前記時間帯毎の記録品質の設定指示に基づく記録品質で前記記録手段に前記コンテンツデータの記録を行わせる、
請求項１又は請求項２記載のディジタル放送記録装置。
【請求項４】
前記記録制御手段は、前記記録対象の放送チャンネルの記録品質の設定指示及び前記時間帯毎の設定指示のうち、前記放送チャンネル毎の記録品質の設定指示を優先的に考慮して前記記録手段における実際の記録レートを設定する、
請求項３記載のディジタル放送記録装置。
【請求項５】
前記記録制御手段は、前記コンテンツデータが複数の時間帯に跨った場合には、前記時間帯毎の記録品質の設定指示にかかわらず、当該コンテンツデータの記録が終了するまで、前記コンテンツデータの先頭記録開始時が属する時間帯の記録品質の設定指示を適用する、
請求項２又は請求項３記載のディジタル放送記録装置。
【請求項６】
前記記録品質指示手段は、前記記録品質の設定指示の入力をユーザに促すための記録品質設定画面を、内蔵あるいは外部接続された表示装置に表示する、
請求項１乃至請求項４のいずれかに記載のディジタル放送記録装置。
【請求項７】
前記記録品質設定画面は、前記放送チャンネル毎の記録品質の設定指示及び時間帯毎の記録品質の設定指示に基づいて実際の記録品質に関する情報がマトリクス状に表示されている、
請求項５記載のディジタル放送記録装置。
【請求項８】
入力された放送チャンネルのコンテンツデータを記録可能な記録部を備えたディジタル放送記録装置において実行されるディジタル放送記録方法において、
前記放送チャンネルの記録品質の設定指示の入力が可能な記録品質指示過程と、
記録対象の放送チャンネルに対応する設定指示に基づく記録品質で前記記録部に当該記録対象の放送チャンネルのコンテンツデータの記録を行わせる記録制御過程と、
を備えたディジタル放送記録方法。
【請求項９】
入力された放送チャンネルのコンテンツデータを記録可能な記録部を備えたディジタル放送記録装置をコンピュータにより制御するための制御プログラムであって、
前記コンピュータを、
前記放送チャンネルの記録品質の設定指示の入力が可能な記録品質指示手段と、
記録対象の放送チャンネルに対応する設定指示に基づく記録品質で前記記録手段に当該記録対象の放送チャンネルのコンテンツデータの記録を行わせる記録制御手段と、
して機能させる制御プログラム。
【発明の詳細な説明】
【技術分野】
【０００１】
本発明の実施形態は、ディジタル放送記録装置、ディジタル放送記録方法及び制御プログラムに関する。
【背景技術】
【０００２】
従来、ディジタル放送受信装置において、特定のチャンネルをループ録画するループ録画機能を応用して、毎日２４時間連続してコンテンツ（番組）を受信し、ストレージに記録し続けるシステムが実用化されている（例えば、特許文献１参照）。
このループ録画機能により、ユーザが意識的に番組を指定して録画予約を行わなくても自動的にコンテンツの録画が行われるため、予約を忘れていた場合や、放送後に話題に上った番組についても、過去に遡ってコンテンツ（番組）を視聴し、あるいは、保存することができるようになっていた。
また、予め時間帯毎に録画レートを設定し、予約録画が開始されると、当該予約録画の開始時刻に応じた番組毎に録画レートで録画を行うデジタル放送受信装置も知られている（例えば、特許文献２参照）。
【先行技術文献】
【特許文献】
【０００３】
【特許文献１】特開２００９−１３５９７８号公報
【特許文献２】特開２００１−２８５８０１号公報
【発明の概要】
【発明が解決しようとする課題】
【０００４】
しかしながら、チャンネル単位で録画を行うシステムにおいては、録画対象の番組が多数存在するため、番組毎に個別に記録品質（例えば、録画レート）を指定することは非常に手間がかかり、現実的ではなかった。
【０００５】
本発明は、上記に鑑みてなされたものであって、チャンネル単位で連続して録画する場合に、容易に録画レートを設定することを可能とする。
【課題を解決するための手段】
【０００６】
実施形態のディジタル放送記録装置は、入力された放送チャンネルのコンテンツデータを記録可能な記録手段を備えている。
そして、記録品質指示手段を介して、放送チャンネルの記録品質の設定指示の入力がなされると、記録制御手段は、記録対象の放送チャンネルに対応する設定指示に基づく記録品質で記録手段に当該記録対象の放送チャンネルのコンテンツデータの記録を行わせる。
【図面の簡単な説明】
【０００７】
【図１】図１は、実施形態のテレビジョン受信装置の構成の一例を示すブロック図である。
【図２】図２は、本実施形態のチューナの詳細構成例を示すブロック図である。
【図３】図３は、記録レート設定画面の一例の説明図である。
【図４】図４は、記録ビットレート設定時の動作処理フローチャートである。
【図５】図５は、記録ビットレート設定操作の一例の説明図である。
【図６】図６は、記録ビットレート設定テーブルの説明図である。
【図７】図７は、より具体的な記録ビットレート設定例の説明図である。
【図８】図８は、実際にループ録画を行う場合の放送チャンネル毎の処理フローチャートである。
【図９】図９は、チャンネル別レートテーブルの一例の説明図である。
【図１０】図１０は、時間帯別レートテーブルの一例の説明図である。
【図１１】図１１は、他の記録ビットレート設定テーブルの説明図である。
【図１２】図１２は、より具体的な記録ビットレート設定例の説明図である。
【発明を実施するための形態】
【０００８】
以下、添付図面を参照しながら、本発明にかかるディジタル放送記録装置及びディジタル放送記録方法の実施の形態を詳細に説明する。
以下の説明においては、ディジタル放送記録装置の一例として、録画機能を備えたテレビジョン受信装置を例にとり説明する。
【０００９】
まず、実施形態のテレビジョン受信装置の構成について説明する。
図１は、実施形態のテレビジョン受信装置の構成の一例を示すブロック図である。
テレビジョン受信装置１００は、図１に示すように、チューナ部１０１、録画再生部１０５、ＨＤＤ１１０、ＥＰＧ（Electric Program Guide）処理部１１２、ＥＰＧメモリ１１３、ＭＰＥＧ（Moving Picture Experts Group）デコーダ１１４、表示制御部１１５、リモコン受信部１１６、システムコントローラ１１７及び通信インタフェース（Ｉ／Ｆ）部１１８を備える。
【００１０】
ここで、システムコントローラ１１７及び録画再生部１０５は、記録管理制御部として機能している。
また、通信インタフェース部１１８は、ＵＳＢインタフェース、ＩＥＥＥ１３９４インタフェース、ＬＡＮインタフェース等として構成可能であり、外付けのＨＤＤ等の接続が可能となっている。
【００１１】
チューナ部１０１は、番組などのコンテンツデータや制御データが多重化されたコンテンツデータとしてのトランスポートストリーム（Transport Stream）を放送局から受信する。
【００１２】
本実施形態では、チューナ部１０１は、チューナ１０１−１〜１０１−Ｎ（Ｎは自然数）を備えており、それぞれチャンネルＣｈ１〜ＣｈＮのトランスポートストリームを受信する。そして、チューナ１０１−１〜１０１−Ｎは、それぞれチャンネルＣｈ１〜ＣｈＮのトランスポートストリームを録画再生部１０５及びＥＰＧ処理部１１２に出力する。
【００１３】
ここで、本実施形態のチューナ１０１−１〜１０１−Ｎの詳細について説明する。
チューナ１０１−１〜１０１−Ｎは、同様の構成であるため、チューナ１０１−１を例として説明する。
【００１４】
図２は、本実施形態のチューナの詳細構成例を示すブロック図である。
図２に示すように、チューナ１０１−１は、選局部２０１と、分離部２０２と、デスクランブラ２０３と、分離部２０４と、ＩＣカード２０６とを備える。
選局部２０１は、アンテナ入力を選局し、選局したチャンネルのトランスポートストリームを分離部２０２及びデスクランブラ２０３に出力する。
【００１５】
分離部２０２は、選局部２０１から入力されたトランスポートストリームに多重されている制御データＥＣＭを分離し、分離した制御データＥＣＭをＩＣカード２０６に出力する。また、分離部２０２は、選局部２０１から入力されたトランスポートストリームを分離部２０４に出力する。分離部２０４は、分離部２０２から入力されたトランスポートストリームに多重されている制御データＥＭＭを分離し、分離した制御データＥＭＭをＩＣカード２０６に出力する。
【００１６】
ＩＣカード２０６は、分離部２０２から入力された制御データＥＣＭ及び分離部２０４から入力された制御データＥＭＭを用いてスクランブル鍵を復号する。デスクランブラ２０３は、ＩＣカード２０６で復号されたスクランブル鍵を用いてトランスポートストリームに多重されているコンテンツデータをデスクランブルし、出力する。
なお、本実施形態では、チューナ１０１−１〜１０１−ＮそれぞれにＩＣカード２０６が備えられているが、複数のチューナがＩＣカードを兼用するようにしてもよい。
【００１７】
図１に戻り、録画再生部１０５は、記録対象チャンネルＣｈ１〜ＣｈＮのトランスポートストリームからコンテンツデータを抽出して、録画や再生を行うものであり、ループ録画部１０６と、ＰＶＲ録画部１０７と、変更部１０８と、再生部１０９とを備える。
【００１８】
ループ録画部１０６は、概念的にループ状に形成されている録画領域に連続して録画を行い、既に録画済の領域に録画を行う場合には上書録画を行うループ録画方式を採用している。例えば、２４時間連続的にＨＤＤ１１０にコンテンツデータを録画する。ここで、ＨＤＤ１１０は、ループ録画領域１１０Ａ及びＰＶＲ録画領域１１０Ｂを備えている。ここで、ループ録画領域１１０Ａは、所定の記録容量を有する巡回型記録領域として構成されている。このループ録画領域１１０Ａの詳細については、後に詳述する。
【００１９】
そして、ループ録画部１０６は、ＨＤＤ１１０のループ録画領域１１０Ａの先頭から順にコンテンツデータを録画し、末尾まで録画すると、再度先頭から録画（上書き）する。
【００２０】
また、ループ録画部１０６は、ＨＤＤ１１０のループ録画領域１１０Ａに録画されたコンテンツデータを一定の時間経過後に消去するようにすることも可能である。
また、ループ録画部１０６は、ループ録画領域１１０Ａに録画されたコンテンツデータの容量が所定の容量を超えた場合に消去するようにすることも可能である。
【００２１】
また、ループ録画部１０６は、後述のシステムコントローラ１１７からループ録画方式で録画を行う時間帯の指定を受け付け、指定された時間帯内にチューナ部１０１に受信される複数のストリームをループ録画方式でＨＤＤ１１０のループ録画領域１１０Ａに録画する。また、ループ録画部１０６は、後述のシステムコントローラ１１７からループ録画方式で録画を行う複数のチャンネルの指定を受け付け、指定された複数のチャンネルの複数のストリームをループ録画方式でＨＤＤ１１０のループ録画領域１１０Ａに録画する。
【００２２】
ＰＶＲ録画部１０７は、通常の録画方式であるＰＶＲ録画方式でＨＤＤ１１０にストリームを録画する。具体的には、ＰＶＲ録画部１０７は、ＨＤＤ１１０のＰＶＲ録画領域１１０Ｂにストリームを録画する。なお、ＰＶＲ録画部１０７は、後述のシステムコントローラ１１７から消去が指示されるまで、ＰＶＲ録画領域１１０Ｂに録画されたストリームを消去せず、保存する。
【００２３】
なお、ループ録画部１０６及びＰＶＲ録画部１０７は、ストリームを録画した番組のチャンネルを示すチャンネル情報、ストリームを録画した番組の番組名、ストリームを録画した録画日時、コンテンツデータの再生履歴などの情報をストリームに付加して、ＨＤＤ１１０のループ録画領域１１０ＡあるいはＰＶＲ録画領域１１０Ｂへ記録する。
【００２４】
変更部１０８は、ループ録画方式で録画されたストリーム（コンテンツデータ）の録画方式をＰＶＲ録画方式に変更する。具体的には、変更部１０８は、ループ録画領域１１０Ａに録画されているコンテンツデータをＰＶＲ録画領域１１０Ｂに移動したり、コピーしたりする。この際、変更部１０８は、コピー制御情報を更新する。これにより、ループ録画領域１１０ＡからＰＶＲ録画領域１１０Ｂに移動又はコピーされたストリームを判別できるようになっている。
【００２５】
再生部１０９は、記録対象チャンネルＣｈ１〜ＣｈＮのトランスポートストリームから抽出したコンテンツデータやＨＤＤ１１０に録画されたコンテンツデータを再生するため、ＭＰＥＧデコーダ１１４に出力する。
【００２６】
ＥＰＧ処理部１１２は、記録対象の放送チャンネルｃｈ１〜ｃｈＮのトランスポートストリームから、各チャンネルの各時間帯の番組を示す番組情報（ＳＩ情報）であるＥＰＧ情報を抽出し、ＥＰＧメモリ１１３に記憶する。また、ＥＰＧ処理部１１２は、ＥＰＧメモリ１１３に記憶されているＥＰＧ情報を常に新しい内容に更新するため、放送チャンネルｃｈ１〜ｃｈＮのトランスポートストリームからＥＰＧ情報を抽出し、抽出したＥＰＧ情報でＥＰＧメモリ１１３に記憶されているＥＰＧ情報を更新する。
【００２７】
なお、本実施形態では、日本の地上ディジタル放送のように記録対象の放送チャンネルｃｈ１〜ｃｈＮの各トランスポートストリームから各チャンネルのＥＰＧ情報を抽出するものとするが、これに限定するものではない。例えば、ＢＳ（Broadcasting Satellite）ディジタル放送のように各チャンネルにＢＳ全チャンネルのＥＰＧ情報が多重されている場合もある。いずれにしても、ＥＰＧ処理部１１２は、自装置で受信可能なチャンネル数分のＥＰＧ情報を抽出し、ＥＰＧメモリ１１３に記憶する。
【００２８】
また、ＥＰＧ処理部１１２は、後述のシステムコントローラ１１７から番組表の表示指示を受け、ＥＰＧメモリ１１３に記憶されているＥＰＧ情報を取得し、取得したＥＰＧ情報をチャンネル毎に時系列に並べた番組表の番組表データを表示制御部１１５に出力する。
【００２９】
ＭＰＥＧデコーダ１１４は、録画再生部１０５から入力されたトランスポートストリームにＭＰＥＧ２デコード処理を施し、表示制御部１１５に出力する。
表示制御部１１５は、ＥＰＧ処理部１１２から出力された番組表データやＭＰＥＧデコーダ１１４から出力されたトランスポートストリームを、テレビジョン信号として、表示部１２０に出力する。
【００３０】
また本実施形態では、ループ録画方式で録画されたトランスポートストリームの一覧は、ＥＰＧ処理部１１２により番組表形式で作成され、表示制御部１１５により表示部１２０に表示される。また、ＰＶＲ録画方式で録画されたトランスポートストリームの一覧は、録画再生部１０５により作成され、表示制御部１１５により表示部１２０に表示される。
【００３１】
そして表示制御部１１５は、ループ録画方式で録画されたトランスポートストリームの一覧、又はＰＶＲ録画方式で録画されたトランスポートストリームの一覧を表示部１２０に表示する際、変更部１０８によりループ録画方式からＰＶＲ録画方式に変更されたトランスポートストリームを他のトランスポートストリームと異なる表示態様で表示する。
【００３２】
具体的には、表示制御部１１５は、ループ録画方式で録画されたトランスポートストリームの一覧、又はＰＶＲ録画方式で録画されたトランスポートストリームの一覧を表示部１２０に表示する際、ループ録画領域１１０ＡからＰＶＲ録画領域１１０Ｂに移動又はコピーされたトランスポートストリームにマークなどのシンボルを付して表示する。
【００３３】
表示部１２０は、表示制御部１１５から入力されたテレビジョン信号に基づいて番組を表示したり、ループ録画方式で録画されたトランスポートストリームの一覧やＰＶＲ録画方式で録画されたトランスポートストリームの一覧を表示したりする。なお、表示部１２０は、液晶ディスプレイ、プラズマディスプレイ、又は有機ＥＬディスプレイなどにより実現できる。
【００３４】
リモコン受信部１１６は、リモコン１３０から、ループ録画方式で記録（録画）を行う時間帯やチャンネルの指定、ＰＶＲ録画方式での記録（録画）指示、ＰＶＲ録画方式で記録（録画）されたコンテンツデータの削除指示、ループ録画領域１１０ＡからＰＶＲ録画領域１１０Ｂへのトランスポート（コンテンツデータ）の移動やコピーの指示、ＨＤＤ１１０に録画されたトランスポートストリームの再生指示、ループ録画領域１１０Ａに録画されている番組の一覧やＰＶＲ録画領域１１０Ｂに録画されている番組の一覧の表示指示などを受け付け、システムコントローラ１１７へ通知する。
【００３５】
システムコントローラ１１７は、テレビジョン受信装置１００全体を制御する。例えば、システムコントローラ１１７は、リモコン受信部１１６からの通知を受け、テレビジョン受信装置１００の各部にリモコン受信部１１６からの通知に応じた制御や指示を行う。
【００３６】
次に記録品質の設定処理の一例として、記録ビットレート（圧縮率）の設定処理について説明する。
図３は、記録レート設定画面の一例の説明図である。
記録ビットレート設定表示画面１５０は、大別すると、放送チャンネル表示領域１５１と、時間帯表示領域１５２と、チャンネル別レート表示領域１５３と、時間帯別レート表示領域１５４と、設定記録レート表示領域１５５と、を備えている。
【００３７】
ここで、放送チャンネル表示領域１５１は、記録ビットレート設定表示画面１５０の上部に配置され、記録ビットレート設定対象の放送チャンネルに関する情報を表示する。
時間帯表示領域１５２は、記録ビットレート設定表示画面１５０の左側部に配置され、記録ビットレート設定対象の記録（録画）時間帯及び表示操作状態を表示する。
チャンネル別レート表示領域１５３は、記録ビットレート設定表示画面１５０の下部に配置され、放送チャンネル毎に記録ビットレートの設定状態を表示する。
時間帯別レート表示領域１５４は、記録ビットレート設定表示画面１５０の右側部に配置され、時間帯毎に記録レートの設定状態を表示する。
【００３８】
設定記録レート表示領域１５５は、記録ビットレート設定表示画面１５０の中央部に配置され、設定された記録ビットレートを表示する。
図３においては、同時並行記録チャンネル数が最大６チャンネルであり、時間帯は、１時間単位で設定可能となっているものとする。
【００３９】
次に実施形態の動作について説明する。
図４は、記録ビットレート設定時の動作処理フローチャートである。
システムコントローラ１１７は、ユーザがリモコン１３０を操作して、記録レートビットの設定を行う旨の指示をリモコン受信部１１６からの通知として受けると、表示部１２０の表示部に、図３に示した、記録ビットレート設定表示画面１５０を表示する（ステップＳ１１）。
【００４０】
続いて、システムコントローラ１１７は、ユーザがリモコン１３０により記録ビットレート設定操作を行ったか否かを判別する（ステップＳ１２）。具体的には、ユーザがリモコン１３０により、チャンネル別レート表示領域１５３のチャンネル別表示操作部Ｂ１１〜Ｂ１６のいずれかを選択する操作、あるいは、時間帯別レート表示領域１５４の時間帯別表示操作部Ｂ２１〜Ｂ２３のいずれかを選択する操作を行ったか否かを判別する。
【００４１】
図５は、記録ビットレート設定操作の一例の説明図である。
例えば、チャンネル別レート表示領域１５３のチャンネル別表示操作部Ｂ１２の選択操作を行った場合には、図５に示すように、メニュー形式のプルダウンメニューＭＮが表示され、当該選択した放送チャンネル（図５の例の場合、放送チャンネル＝２ｃｈ）において設定可能な記録ビットレートが選択可能となる。
【００４２】
より詳細には、各放送チャンネルについて、高記録ビットレート（ＴＳ）、標準記録ビットレート（ＸＰ）、低記録ビットレート（ＬＰ）が選択可能である。また、現在選択され、設定されている記録ビットレートの表示（＝ＴＳ）は、図５に、示すように非設定状態の記録ビットレートの表示（＝ＸＰ、ＬＰ）とは異なる表示態様とされて、ユーザが認識可能となっている。ここで、記録ビットレートは、ＴＳ＞ＸＰ＞ＬＰとなっている。
【００４３】
図５に示したような操作がなされると（ステップＳ１２；Ｙｅｓ）、システムコントローラ１１７は、時間帯別表示操作部Ｂ２１〜Ｂ２３が操作されて、いずれかの時間帯の記録ビットレートの変更操作がなされたか否かを判別する（ステップＳ１３）。
ステップＳ１３の判別において、いずれかの時間帯の記録ビットレートの変更操作がなされた場合には（ステップＳ１３；Ｙｅｓ）、変更操作がなされた時間帯の記録ビットレートを新たに設定された記録ビットレートに更新する記録ビットレート更新処理を行って（ステップＳ１４）、処理を再びステップＳ１１に移行し、更新後の記録ビットレート設定画面を表示することとなる（ステップＳ１１）。
【００４４】
ステップＳ１３の判別において、いずれの時間帯の記録ビットレートの操作も行われていない場合には（ステップＳ１３；Ｎｏ）、システムコントローラ１１７は、チャンネル別表示操作部Ｂ１１〜Ｂ１６が操作されて、いずれかの放送チャンネルの記録ビットレートの変更操作がなされたか否かを判別する（ステップＳ１５）。
ステップＳ１５の判別において、いずれかの放送チャンネルの記録ビットレートの変更操作がなされた場合には（ステップＳ１５；Ｙｅｓ）、変更操作がなされた放送チャンネルの記録ビットレートを新たに設定された記録ビットレートに更新する記録ビットレート更新処理を行って（ステップＳ１６）、処理を再びステップＳ１１に移行し、更新後の記録ビットレート設定画面を表示することとなる（ステップＳ１１）。
ステップＳ１５の判別において、いずれの放送チャンネルの記録ビットレートの操作も行われていない場合には（ステップＳ１５；Ｎｏ）、処理を再びステップＳ１１に移行し、待機状態となる。
【００４５】
次に記録ビットレート設定状態の一例について説明する。
図６は、記録ビットレート設定テーブルの説明図である。
記録ビットレート設定テーブル１６０は、ユーザによる放送チャンネル毎の記録ビットレートの設定と、ユーザによる時間帯毎の記録ビットレートの設定と、に基づいて設定される実際にループ録画に用いられる記録ビットレートの設定についての対応関係を表すものである。
【００４６】
具体的には、図６（ａ）に示すように、ユーザによる放送チャンネル毎の記録ビットレートの設定と、ユーザによる時間帯毎の記録ビットレートの設定と、の組み合わせに応じて、最高記録ビットレートＴＳから最低記録ビットレートＬＰの間で、９通りの記録ビットレートが設定されることとなる。
ここで、記録ビットレートは、図６（ｂ）に示すように、高い順から、
ＴＳ＞ＴＳ−Ｍ＞ＴＳ−Ｌ＞ＸＰ−Ｈ＞ＸＰ＞ＸＰ−Ｌ
＞ＬＰ−Ｈ＞ＬＰ−Ｍ＞ＬＰ
となっている。
【００４７】
図７は、より具体的な記録ビットレート設定例の説明図である。
図７に示すように記録ビットレート設定表示画面１５０の設定記録レート表示領域１５５には、設定された記録ビットレートが表示されることとなる。
例えば、放送チャンネル＝２ｃｈの１３：００〜１４：００の時間帯においては、ユーザは、放送チャンネル毎の記録ビットレート＝「ＴＳ」と設定し、時間帯毎の記録ビットレート＝「ＸＰ」と設定しているので、実際のループ録画時に適用される記録ビットレート＝「ＴＳ−Ｍ」となり、２番目に高い記録ビットレートに設定される。同様に、放送チャンネル＝４ｃｈの１４：００〜１５：００の時間帯においては、ユーザは、放送チャンネル毎の記録ビットレート＝「ＬＰ」と設定し、時間帯毎の記録ビットレート＝「ＬＰ」と設定しているので、実際のループ録画時に適用される記録ビットレート＝「ＬＰ」となり、最も低い記録ビットレートに設定される。
【００４８】
以上の説明は、放送チャンネル毎の記録ビットレート及び時間帯毎の記録ビットレートの双方がユーザにより設定された場合のものであるが、いずれか一方のみが設定されている場合には、当該設定されている記録ビットレート（＝「ＴＳ」、「ＸＰ」あるいは「ＬＰ」のいずれか）が実際のループ録画時の記録ビットレートとして適用される。また、放送チャンネル毎の記録ビットレート及び時間帯毎の記録ビットレートの双方がユーザにより設定された場合であっても、後述するように特定の放送チャンネルについてチャンネル優先モードが設定された場合には、当該放送チャンネルについては、放送チャンネル毎の記録ビットレート（＝「ＴＳ」、「ＸＰ」あるいは「ＬＰ」のいずれか）が実際のループ録画時の記録ビットレートとして適用される。
【００４９】
次に記録ビットが設定されている状態において、実際にループ録画を行う場合の動作を説明する。
図８は、実際にループ録画を行う場合の放送チャンネル毎の処理フローチャートである。
図８に示す処理フローチャートは、放送チャンネル毎に行われる処理であり、例えば、ループ録画処理が放送チャンネル＝ｃｈ１〜ｃｈ６の６チャンネルを対象としている場合には、同時に６系統の処理が並行してなされることとなっている。
まず、システムコントローラ１１７は、処理対象の放送チャンネルについて、チャンネル優先モードが設定されているか否かを判別する（ステップＳ２１）。
ステップＳ２１において、当該放送チャンネルについて、チャンネル優先モードが設定されている場合には（ステップＳ２１；Ｙｅｓ）、チャンネル別レートテーブルを参照し（ステップＳ２２）、記録ビットレートが設定される（ステップＳ２５）。
【００５０】
図９は、チャンネル別レートテーブルの一例の説明図である。
図９に示す例の場合、チャンネル別レートテーブル１６５においては、放送チャンネルｃｈ１の記録ビットレート＝「ＴＳ」であり、放送チャンネルｃｈ２の記録ビットレート＝「ＴＳ」であり、放送チャンネルｃｈ３の記録ビットレート＝「ＸＰ」であり、放送チャンネルｃｈ３の記録ビットレート＝「ＸＰ」であり、放送チャンネルｃｈ４の記録ビットレート＝「ＬＰ」であり、放送チャンネルｃｈ５の記録ビットレート＝「ＴＳ」であり、放送チャンネルｃｈ６の記録ビットレート＝「ＸＰ」である。
【００５１】
したがって、例えば、放送チャンネルｃｈ２及び放送チャンネルｃｈ３についてのみ、チャンネル優先モードが設定されている場合には、時間帯別記録ビットレートの設定がなされている場合であっても、放送チャンネルｃｈ２については、記録ビットレート＝「ＴＳ」と設定され、放送チャンネルｃｈ３については、記録ビットレート＝「ＸＰ」と設定される。
【００５２】
図１０は、時間帯別レートテーブルの一例の説明図である。
ステップＳ２１において、当該放送チャンネルについて、チャンネル優先モードが設定されていない場合には（ステップＳ２１；Ｎｏ）、システムコントローラ１１７は、時間帯別レートテーブル１７０を参照して、現在時刻に相当する時間帯の設定記録ビットレートを読み出す（ステップＳ２３）。
【００５３】
例えば、図１０の例の場合、現在時刻＝「２：１７」である場合には、システムコントローラ１１７は、時間帯＝「２：００〜３：００」に相当する記録ビットレート＝「ＬＰ」を読み出す。同様に、現在時刻＝「２２：４１」である場合には、システムコントローラ１１７は、時間帯＝「２２：００〜２３：００」に相当する記録ビットレート＝「ＴＳ」を読み出す。
【００５４】
続いて、システムコントローラ１１７は、チャンネル−時間帯レートテーブルとしての記録ビットレート設定テーブル１６０（図６参照）を参照し、ステップＳ２３において読み出した現在時刻に相当する時間帯の設定記録ビットレートと、当該放送チャンネルの記録ビットレートとの組み合わせに基づいて、記録ビットレートが設定される（ステップＳ２５）。
より具体的には、放送チャンネルｃｈ４について、放送チャンネル毎の記録ビットレート＝「ＬＰ」とされ、時間帯＝「２２：００〜２３：００」に相当する記録ビットレート＝「ＴＳ」とされている場合には、図６に示したように、２２：０５分から放送が開始される番組の記録ビットレート＝「ＬＰ−Ｈ」とされる。
【００５５】
続いて、システムコントローラ１１７は、録画再生部１０５を制御し、ステップＳ２５において設定した記録ビットレートでループ録画処理（ループ記録処理）を行うこととなる（ステップＳ２６）。
次にシステムコントローラ１１７は、番組が切り替わるタイミングに至ったか否かをＥＰＧメモリ１１３に記憶された番組表に基づいて判別する（ステップＳ２７）。
【００５６】
ステップＳ２７の判別において、番組切り替わりタイミングではない場合、すなわち、未だ同一の番組の録画が継続している場合には（ステップＳ２７；Ｎｏ）、システムコントローラ１１７は、当該番組の録画が複数の時間帯に跨っている場合でも、記録ビットレートは最初に設定した記録ビットレートのまま、ループ録画処理（ステップＳ２６）を継続することとなる。
また、ステップＳ２７の判別において、番組切り替わりタイミングに至った場合、すなわち、番組が終了した場合には（ステップＳ２７；Ｙｅｓ）、システムコントローラ１１７は、再び処理をステップＳ２１に移行し、以下、同様の処理を繰り返すこととなる。
【００５７】
以上説明したように、本実施形態によれば、放送チャンネル毎に記録ビットレートの設定が可能であり、入力された複数の放送チャンネルの番組の録画データ（コンテンツデータ）を同時並行して連続的に記録手段としてのＨＤＤ１１０に記録し、記録対象の放送チャンネルに設定された記録ビットレートに基づいてＨＤＤ１１０に入力された複数の放送チャンネルの番組の録画データの記録を行わせるので、番組毎に記録ビットレートの設定を行わなければならない場合と比較して、非常に容易に所望の記録ビットレートを設定してループ録画を行わせることができる。
さらに時間帯毎にも記録ビットレートを設定し、放送チャンネル毎及び時間帯毎の記録ビットレート設定の組み合わせに応じて、自動的に実際にループ録画を行う際の記録ビットレートを設定できるので、ユーザの使い勝手が向上する。
【００５８】
以上の実施形態の説明においては、図６のチャンネル−時間帯レートテーブルとしての記録ビットレート設定テーブル１６０に示したように、放送チャンネル別の記録ビットレート設定と、時間帯別の記録ビットレート設定と、をそれぞれ異なるパラメータとして実際のループ録画に用いる記録ビットレートの設定に用いていたが、同一のパラメータとして扱い、それらの組み合わせ（数学的に順列と対として用いられる用語の組み合わせに相当）に基づいて実際のループ録画に用いる記録ビットレートを設定するように構成することも可能である。
【００５９】
ここで、記録ビットレート設定状態の他の一例について説明する。
図１１は、他の記録ビットレート設定テーブルの説明図である。
記録ビットレート設定テーブル１７５は、ユーザによる放送チャンネル毎の記録ビットレートの設定と、ユーザによる時間帯毎の記録ビットレートの設定と、に基づいて設定される実際にループ録画に用いられる記録ビットレートの設定についての対応関係を表すものである。
【００６０】
具体的には、図１１（ａ）に示すように、ユーザによる放送チャンネル毎の記録ビットレートの設定と、ユーザによる時間帯毎の記録ビットレートの設定と、の組み合わせに応じて、最高記録ビットレートＢＲ５から最低記録ビットレートＢＲ１の間で、５通りの記録ビットレートが設定されることとなる。
ここで、記録ビットレートは、図６（ｂ）に示すように、高い順から、
ＢＲ５＞ＢＲ４＞ＢＲ３＞ＢＲ２＞ＢＲ１
となっている。
【００６１】
図１２は、より具体的な記録ビットレート設定例の説明図である。
図１２に示すように記録ビットレート設定表示画面１５０の設定記録レート表示領域１５５には、設定された記録ビットレートが表示されることとなる。
例えば、放送チャンネル＝２ｃｈの１３：００〜１４：００の時間帯においては、ユーザは、放送チャンネル毎の記録ビットレート＝「ＴＳ」と設定し、時間帯毎の記録ビットレート＝「ＸＰ」と設定しているので、実際のループ録画時に適用される記録ビットレート＝「ＢＲ４」となり、２番目に高い記録ビットレートに設定される。同様に、放送チャンネル＝４ｃｈの１４：００〜１５：００の時間帯においては、ユーザは、放送チャンネル毎の記録ビットレート＝「ＬＰ」と設定し、時間帯毎の記録ビットレート＝「ＬＰ」と設定しているので、実際のループ録画時に適用される記録ビットレート＝「ＢＲ１」となり、最も低い記録ビットレートに設定される。
【００６２】
以上の説明は、放送チャンネル毎の記録ビットレート及び時間帯毎の記録ビットレートの双方がユーザにより設定された場合のものであるが、いずれか一方のみが設定されている場合には、当該設定されている記録ビットレート（＝「ＴＳ」、「ＸＰ」あるいは「ＬＰ」のいずれか）が実際のループ録画時の記録ビットレートとして適用される。また、放送チャンネル毎の記録ビットレート及び時間帯毎の記録ビットレートの双方がユーザにより設定された場合であっても、後述するように特定の放送チャンネルについてチャンネル優先モードが設定された場合には、当該放送チャンネルについては、放送チャンネル毎の記録ビットレート（＝「ＴＳ」の場合、ビットレートＢＲ５、「ＸＰ」の場合、ビットレートＢＲ３あるいは「ＬＰ」の場合、ビットレートＢＲ１のいずれか）が実際のループ録画時の記録ビットレートとして適用される。
【００６３】
以上の説明においては、記録ビットレート設定表示画面１５０において、放送チャンネルを縦軸とし、時間帯を横軸とするマトリクス状に設定した記録ビットレートを表示するようにしていたが、複数の放送チャンネル及び複数の時間帯が交差するように配置して表示するようにすれば、その配置については、適宜変更可能である。
【００６４】
以上の説明においては、ディジタル放送記録装置として、ループ録画を行うものについて説明したが、大容量の記録媒体に複数の放送チャンネルを指定して、当該複数の放送チャンネルで放送されている複数の番組を同時並行して録画可能なディジタル放送記録装置であれば、同様に適用が可能である。
また、以上の説明においては、複数の放送チャンネルを同時並行して記録する場合について説明したが、一の放送チャンネルで放送されている複数の番組を記録する場合についても同様に適用が可能である。
以上の説明においては、放送チャンネル毎の記録ビットレートの設定指示及び時間帯毎の記録ビットレートの設定指示がそれぞれ３種類（「ＴＳ」、「ＸＰ」、「ＬＰ」）の場合について説明したが、それぞれ複数であれば同様に適用が可能であり、それぞれの設定指示の種類及びその数は異なるようにしても構わない。
以上の説明においては、記録品質の例として、記録ビットレートを設定指示する場合について説明したが、記録品質として、解像度、画素数、階調数、表示色数、単位時間当たりのフレーム数等のように画像品質及び記録容量に影響を与える要素（パラメータ）のいずれかを用い、これらについて設定指示するように構成することも可能である。また、記録品質とは、この明細書では記録品位も含むものである。
【００６５】
以上の説明においては、ディジタル放送記録装置としてコンテンツデータ記録機能（録画機能）を備えたテレビジョン受信装置を例にとり説明したが、これに限定されるものではない。例えば、ＨＤＤ（Hard Disk Drive）に録画を行うＨＤＤレコーダや、ＨＤＤ及びＤＶＤ（Digital Versatile Disc）に録画を行えるＨＤＤ+ＤＶＤレコーダなどの他のコンテンツデータ記録を行うディジタル放送記録装置にも適用できる。
【００６６】
また、外部にチューナを接続するチューナ別体型の記録（録画）専用装置であっても適用が可能である。
【００６７】
本実施形態のディジタル放送記録装置は、ＣＰＵなどの制御装置と、ＲＯＭ（Read Only Memory）やＲＡＭなどの記憶装置と、ＨＤＤ、ＣＤドライブ装置などの外部記憶装置と、ディスプレイ装置などの表示装置と、キーボードやマウスなどの入力装置を備え、通常のコンピュータを利用したハードウェア構成とすることも可能である。
【００６８】
この場合において、ディジタル放送記録装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００６９】
また、本実施形態のディジタル放送記録装置で実行される制御プログラムを、インターネット等のネットワークに接続されたコンピュータ上に格納し、ネットワーク経由でダウンロードさせることにより提供するように構成しても良い。また、本実施形態のディジタル放送記録置で実行される制御プログラムをインターネット等のネットワーク経由で提供または配布するように構成しても良い。
また、本実施形態の制御プログラムを、ＲＯＭ等に予め組み込んで提供するように構成してもよい。
【００７０】
なお、上述した実施形態は、一例であり、上記実施形態そのままに限定されるものではなく、実施段階ではその要旨を逸脱しない範囲で構成要素を変形して具体化することができる。また、上記実施の形態に開示されている複数の構成要素の適宜な組み合わせにより、種々の実施形態を形成することができる。例えば、実施形態に示される全構成要素からいくつかの構成要素を削除してもよい。さらに、異なる実施形態にわたる構成要素を適宜組み合わせても良い。
【符号の説明】
【００７１】
１００  テレビジョン受信装置（ディジタル放送記録装置）
１０５  録画再生部（記録手段）
１０６  ループ録画部（記録制御手段、記録手段）
１１０  ＨＤＤ（記録手段）
１１０Ａ  ループ録画領域（巡回型記録領域）
１１５  表示制御部
１１６  リモコン受信部
１１７  システムコントローラ（記録制御手段）
１１８  通信インタフェース部
１２０  表示部
１３０  リモコン（記録品質指示手段）
１５０  記録ビットレート設定表示画面（レート設定画面）
１５１  放送チャンネル表示領域
１５２  時間帯表示領域
１５３  チャンネル別レート表示領域
１５４  時間帯別レート表示領域
１５５  設定記録レート表示領域
１６０  記録ビットレート設定テーブル
１６５  チャンネル別レートテーブル
１７０  時間帯別レートテーブル
１７５  記録ビットレート設定テーブル
ＢＲ１〜ＢＲ５  記録ビットレート
Ｂ１１〜Ｂ１６  チャンネル別表示操作部
Ｂ２１〜Ｂ２３  時間帯別表示操作部
ｃｈ１〜ｃｈ６  放送チャンネル
ＭＮ    プルダウンメニュー
ＴＳ、ＸＰ、ＬＰ    記録ビットレート（記録品質）
【図１】
2013013034.tif 000003
【図２】
2013013034.tif 000004
【図３】
2013013034.tif 000005
【図４】
2013013034.tif 000006
【図５】
2013013034.tif 000007
【図６】
2013013034.tif 000008
【図７】
2013013034.tif 000009
【図８】
2013013034.tif 000010
【図９】
2013013034.tif 000011
【図１０】
2013013034.tif 000012
【図１１】
2013013034.tif 000013
【図１２】
2013013034.tif 000014